(57)【特許請求の範囲】
【請求項１】
１６：９のアスペクト比のカラーバー信号を発生する第１，第２および第３のカラーバー信号発生器と、
前記発生器の出力を切り替えるカラーバー信号切替器とを含み、
前記カラーバー信号をテレビ画面のアスペクト比１６：９（ＨＤ）と４：３（ＮＴＳＣ）に共通して使用するために、画面の４：３の範囲をＮＴＳＣのために７５％カラーバー信号で構成し、４：３の範囲の外側をＨＤのために１００％カラーバー信号としての機能を持たせて構成したカラーバー信号発生装置。
【請求項２】
請求項１記載のカラーバー信号発生装置において、ベクトルスコープによる肌色の色相を監視する目的で、肌色信号を取り入れて構成したカラーバー信号発生装置。
【請求項３】
請求項１記載のカラーバー信号発生装置において、コンポーネントモニタとコンポジットモニタのクロマ信号を調整するために、クロマ信号調整用基準信号として、カラーバーを生成する信号と同レベルの白信号が各色のバーに接するように構成したカラーバー信号発生装置。
【請求項４】
請求項１記載のカラーバー信号発生装置において、モニタの輝度調整をするために、ゼロレベルの信号を含む正側の３つの信号を組み入れたカラーバー信号発生装置。
【発明の詳細な説明】
【０００１】
【発明の属する技術分野】
本発明は、テレビジョン信号の複数のフォーマットに対応したカラーバー信号発生装置に関する。さらに詳しく言えば、本発明による新規な装置で発生するカラーバー信号は、ＨＤ（１６：９）での運用と、ＨＤからＳＤ（４：３）に変換しての運用が、従来のカラーバーと同じ方法で行えるように考慮してあり、ＨＤからＳＤ（ＮＴＳＣを含む）まで一つのカラーバー信号で運用できるようにしたカラーバー信号発生装置に関する。
【０００２】
【従来の技術】
デジタル放送では、ＨＤ放送とＳＤ放送の違いの他、画面サイズが異なる１６：９と４：３の映像が放送される。また現行のＮＴＳＣ方式の放送も行われる。このため、番組制作は高画質な１６：９のＨＤで制作し、必要とするＳＤ（ＮＴＳＣを含む）の番組に変換して放送することが行われる。カラーバー信号は映像の基準となる重要な信号である。ＳＤへの映像フォーマットの変換では、映像のオリジナル性を確保するため、カラーバーの差し替えは行わないことが好ましい。
【０００３】
カラーバー信号は、ＨＤ（１６：９）での運用と、ＨＤからＳＤ（４：３）に変換しての運用が、従来のカラーバーと同じ方法で行えるように考慮し、ＨＤからＳＤ（ＮＴＳＣを含む）まで、一つのカラーバー信号で運用できることが好ましい。
現在、ＨＤでは１００％フルカラーバー信号、ＳＤでは１００％と７５％のフルカラーバー信号およびＳＭＰＴＥカラーバー信号が使用されている。
なお本発明において、１００％フルカラーバー信号（または単にカラーバー信号）とは、画面全体にわたってＲ，Ｇ，Ｂの各ビデオレベルが１００％のものをそれぞれ組み合わせて、左から輝度順に並べたカラーバー信号を言う。７５％フルカラーバー信号とは、画面全体にわたってＲ，Ｇ，Ｂの各ビデオレベルが７５％のものをそれぞれ組み合わせて、左から輝度順に並べたカラーバー信号を言う。これらのカラーバー信号はそれぞれの映像フォーマット専用に構成されている。また、ＨＤ（１６：９）のカラーバー信号は４：３のＳＤ信号にフォーマット変換（ダウンコンバート）されることを考慮されていない。一方ＳＭＰＴＥカラーバー信号にはモニタのクロマ調整のための信号が含まれているが、ＮＴＳＣ用として作られている。
このためＳＭＰＴＥ形式のモニタのクロマ調整信号は、ＨＤ（コンポーネント）モニタ調整には使用できない。
【０００４】
【発明が解決しようとする課題】
(1) 番組素材のフォーマット変換で、ＨＤ（１６：９）のカラーバー信号をＳＤ（４：３）のフル画面の信号にダウンコンバートすると、画面の両側に対応する部分の信号がカットされ、カラーバー信号として使用できなくなる。
またカラーバー信号の付け替えが必要となり、信号のオリジナル性が失われる。このため、ＨＤからＳＤまで共通して使えるカラーバー信号が必要である。
(2) ＮＴＳＣ（ＳＤ）では主にＳＭＰＴＥカラーバー（７５％カラーバー信号）が使用されているため、運用上、ダウンコンバートされたＨＤの１００％フルカラーバー信号は、相対的にレベルが異なるだけの７５％フルカラーバー信号と間違えことがある。また、カラーバー信号レベルを間違えて調整し放送すると放送事故となる。
(3) ＮＴＳＣでの映像の色管理にはベクトルスコープを使用している。特に顔色（肌色）は健康状態が分かるので、視聴者でも気になるものである。そこで、バースト信号の振幅を目安に波形を拡大して客観的に肌色を監視している（図９のＣ）。しかし、ＨＤ（コンポーネント）信号には目安となるＮＴＳＣのようなバースト信号がない。
(4) カラーバー信号のモニタの輝度調整用信号レベルは、ＨＤでは±２％、ＳＤでは±４％が使用されているが、ダウンコンバータはマイナス信号を出力しない（図６の６３，図７の７１）。このため、ＳＤのモニタの輝度調整で、−４％の信号が使えない（図１１の１１１，１１２）。
(5) ＮＴＳＣで使用されているＳＭＰＴＥカラーバー信号ではコンポーネントモニタのクロマ調整ができない（図１０のＡ）。
【０００５】
本発明の目的は、テレビジョン信号の複数のフォーマットに対応したカラーバー信号発生装置を提供することにある。
本発明のさらに詳細な目的は、本発明による新規な装置で発生するカラーバー信号は、ＨＤ（１６：９）での運用と、ＨＤからＳＤ（４：３）に変換しての運用が、従来のカラーバーと同じ方法で行えるように考慮してあり、ＨＤからＳＤ（ＮＴＳＣを含む）まで一つのカラーバー信号で運用できるようにしたカラーバー信号発生装置を提供することにある。
【０００６】
【課題を解決するための手段】
前記目的を達成するために、本発明者達が着目した第１の解決手段は、一般的には、ＨＤ（１６：９）画面のＳＤ（４：３）の範囲にＨＤ用カラーバー信号とＳＤ用カラーバー信号を割り振って構成すれば、問題は容易に解決することが予想される。しかし、波形モニタでの表示波形が従来より複雑となり、波形モニタでの観測方法を従来と変える必要があることである。
そこで本発明では、ＨＤ（１６：９）画面のＳＤ（４：３）の外側部分はＨＤ（１６：９）の時しか使わないことに着眼して、ＳＤ（４：３）の範囲はＮＴＳＣ用として１００％白と７５％カラーバー信号で構成し、外側の部分をＨＤ用カラーバー信号として１００％カラーバー信号の一部で構成した（図２）。
【０００７】
ＨＤカラーバー信号が１００％カラーバー信号の一部の信号で良い理由は次のとおりである。
カラーバー信号でシステムのレベルの調整と確認をするとき、Ｒ，Ｇ，Ｂ信号では１００％白信号で行えるが、Ｙ，Ｐｂ，Ｐｒ信号ではそれぞれ基準となる信号が必要である。そこで、
(1) レベル合わせでのＹはＳＤの１００％の白と共用する。
(2) Ｐｂは黄（Ｙｅ）のレベルが−５０％、青（Ｂ）のレベルが＋５０％となるように調整する。したがって、１００％の黄と青、または、どちらかがあればよい。
(3) Ｐｒはシアン（ＣＹ）のレベルが−５０％、赤（Ｒ）のレベルが＋５０％となるように調整する。したがって、１００％のシアンと赤、または、どちらかがあればよい。
ＨＤカラーバー信号のレベル調整では、
(1) 従来、Ｐｂ，Ｐｒのレベル調整は黄と青間のレベル、およびシアンと赤間のレベルがそれぞれ１００％になるように行っている。
(2) Ｐｂの波形は右上がりである。
このため、Ｐｂには青、Ｐｒにはシアンを選択した。波形モニタ上ではそれぞれが隣接するように、画面の右端を青、左端をシアンの配置にして、青とシアン間のレベルが１００％となるように配慮した（図２の２４，２５、図４の４３，４４）。
【０００８】
前記目的を達成するために、本発明者達が着目した第２の解決手段は、ＨＤ（１６：９）画面のＳＤ（４：３）の範囲をＮＴＳＣ用として１００％白と７５％のカラーバー信号で構成した（図２の２１、３０）。
その理由は次のとおりである。
(1) １００％白はＨＤと共用できる。また、モニタのホワイトバランス調整にも使用する。
(2) ＮＴＳＣでは主に７５％カラーバー信号のＳＭＰＴＥカラーバーが使用されている。
(3) １００％カラーバー信号はＮＴＳＣシステムでは１１０％程度でシステムクリップされる場合がある。
（ＮＴＳＣでは１００％カラーバー信号は、プラス側のピークが１３３％になる。）
(4) ＮＴＳＣ波形モニタの目盛は、現在プラス側１２０％までしかない。
(5) ＨＤ用の１００％カラーバー信号は４：３範囲の外側に構成した。（図２の２４，２５）
【０００９】
前記目的を達成するために、本発明者達が着目した第３の解決手段は、ＮＴＳＣでの肌色の観測では観測をしやすくするため、バースト信号の振幅がベクトルスコープのテストサークルの目盛に接するように波形を拡大している。また、肌色のＮＴＳＣベクトルスコープ上の表示は、＋Ｉ軸付近である（図９のＣ）。そこで本発明は、以下の条件の肌色基準信号を新たにカラーバー信号に加えた（図２の２６，図４Ａの４１，図４Ｂの４２，図６の６１）。
(1) ＮＴＳＣベクトルスコープの＋Ｉ軸上でバースト信号と同じ振幅となる信号(2) ＮＴＳＣ波形モニタでの表示で、カラーバー部分の観測の妨げにならない位置の信号
この結果、ＨＤのベクトルスコープでは肌色基準信号（＋Ｉ信号）を使って、ＮＴＳＣと同じように波形を拡大すれば、ＮＴＳＣの場合と同じ感覚で肌色の監視が行える（図８）。（ＮＴＳＣとの整合性をとった）
【００１０】
前記目的を達成するために、本発明者達が着目した第４の解決手段は、モニタの輝度調整用信号はそれぞれ規格化されている（ＨＤ：±２％、ＳＤ：±４％）。しかし、ＳＤへのダウンコンバートではマイナス信号が出力されない。そこで本発明ではＳＤの−４％の代わりに＋２％を採用した（図２の２８，図５Ａの５１，図６の６２）。モニタの輝度は、モニタ上＋４％の信号が見えて、＋２％の信号が見えないように調整する（図１１の１１３，１１４）。この設定は、±４％の信号で調整したモニタの設定の範囲に含まれる。
【００１１】
前記目的を達成するために、本発明者達が着目した第５の解決手段は、ＳＭＰＴＥカラーバーはモニタのＰｒの調整で、モニタを赤チャンネルの表示だけにしたとき、比較するＲｅｆ信号が離れてしまうため、目視で同一の明るさの設定ができず、Ｐｒの調整ができない（図１０の１０１，１０２）。
本発明ではモニタのクロマ調整用基準信号としてモニタ上、Ｒｅｆ７５％白が７５％カラーバー信号の各色のバー信号に接するようにした。モニタのＰｒの調整で、７５％カラーバー信号の赤は変化するが、赤に接するＲｅｆ７５％の白は変化しない。本来、赤と白は７５％のレベルであるのでモニタを赤チャンネルだけにしたとき、Ｐｒは、それぞれの明るさが同一になるように調整する（図１０の１０３，１０４）。
【００１２】
すなわち、本発明によるカラーバー信号発生装置は、
１６：９のアスペクト比のカラーバー信号を発生する第１，第２および第３のカラーバー信号発生器と、
前記発生器の出力を切り替えるカラーバー信号切替器とを含み、
前記カラーバー信号をテレビ画面のアスペクト比１６：９（ＨＤ）と４：３（ＮＴＳＣ）に共通して使用するために、画面の４：３の範囲をＮＴＳＣのために７５％カラーバー信号で構成し、４：３の範囲の外側をＨＤのために１００％カラーバー信号として構成してある。
前記カラーバー信号発生装置において、ベクトルスコープによる肌色の色相を監視する目的で、肌色信号を採り入れて構成することができる。
前記カラーバー信号発生装置において、コンポーネントモニタとコンポジットモニタのクロマ信号を調整するために、クロマ信号調整用基準信号として、カラーバーを生成する信号と同レベルの白信号が各色のバーに接するように構成することができる。
前記カラーバー信号発生装置において、モニタの輝度調整をするために、ゼロレベルの信号を含む正側の３つの信号を組み入れて構成することができる。
【００１３】
【作用】
本装置のカラーバー信号をＨＤ（１６：９）に使用すれば、ＳＤ（ＮＴＳＣ／４：３）にフォーマット変換（ダウンコンバート）してもカラーバー信号の差し替えをせず使用できる。
【００１４】
【発明の実施態様】
以下図面等を参照して本発明による装置の実施の形態を説明する。図１に本発明の実施例を示す。本装置はカラーバー信号発生器１、カラーバー信号発生器２、カラーバー信号発生器３、カラーバー信号切替器、マトリックスで構成される。ダウンコンバータは、カラーバー信号がＳＤ（４：３）にフォーマット変換して使用される状況を説明するために記述している。
【００１５】
図１に示すように本発明によるカラーバー信号発生装置は、３つの信号発生器から出力される信号（図１の１，２，３）を図２に示す画面構成になるようにカラーバー信号切替器で切り替えて出力する。また、出力信号はＲ，Ｇ，Ｂ出力（図１の４）とマトリックスで変換されたＹ，Ｐｂ，Ｐｒ出力（図１の５）がある。図１の１，２，３，４，５での信号の詳細を図３，４，５に示す。
【００１６】
本装置はダウンコンバートしたＳＤ（４：３）に対応した信号を出力することに特徴があるため、ＳＤ（ＮＴＳＣ）にダウンコンバートした信号の詳細を図６、７に示す。図２は、ＨＤ（映像フォーマット１０８０ｉ）の場合のデジタル信号での各信号の画面構成を示す。カラーバー１は、アスペクト比１６：９のうち、４：３の範囲が７５％のカラーバー信号（２１）で、その両側が４０％のグレー（無彩色）信号（２２，２３）である。カラーバー信号２１は、ＮＴＳＣシステム（ＳＤ）でのレベル調整に使用する。また、モニタ調整にも使用する。信号２２，２３は、カラーバー信号のＡＰＬ調整用である。
【００１７】
カラーバー信号２は、カラーバー信号１の７５％白に対応する範囲が肌色基準信号（＋Ｉ信号）２６、カラーバー信号１の４０％グレーに対応する範囲が１００％カラーバー信号のシアン２４と青２５である（画面上左がシアン、右が青）。カラーバー信号１の黄から青に対応する範囲がＲｅｆ７５％白２７である。
【００１８】
肌色基準信号は、ベクトルスコープでの肌色監視のための基準信号として使用する。また、ＮＴＳＣベクトルスコープの表示上では＋Ｉ軸上にあり、そのレベルはセットアップ０％カラーバー信号でのバースト信号と同じで、かつ輝度が最も低い信号としている。（図４Ａの４１，図４Ｂの４２，図６の６１）
＋Ｉ信号の換算されたＲ，Ｇ，Ｂの各レベル値は、Ｉ＝４０×１／２，Ｑ＝０，Ｂ＝０  としているため、以下の式から、Ｒ＝４１．２５４５％，Ｇ＝１６．６９４６％，Ｂ＝0 ％  となる。
Ｉ＝−0.274557G − 0.321344B＋ 0.595901R
Ｑ＝−0.522736G ＋ 0.311200B＋ 0.211537R
２４，２５はコンポーネントシステム（ＨＤ）でのＰｂ，Ｐｒのレベル調整に使用する。２７はコンポーネントモニタとコンポジットモニタのクロマ調整に使用する。カラーバー信号３は、カラーバー信号１の７５％白に対応する範囲がＳＤモニタの輝度調整用信号２８、カラーバー信号１の青に対応する範囲がＨＤモニタの輝度調整用信号２９、カラーバー信号１のシアン・緑・マゼンタに対応する範囲が１００％白３０である。２８はＳＤモニタで＋４％信号が見えて、＋２％信号が見えないようにモニタの輝度を調整する。２９はＨＤモニタで＋２％信号が見えて、−２％信号が見えないように輝度を調整する。３０は映像レベル（または輝度レベルＹ）の調整とモニタのホワイトバランスの調整に使用する。
【００１９】
図３関連の図は、カラーバー信号１の信号発生器の出力信号を説明したものである。図３Ａは図１の端子４でのカラーバー信号１のＧ，Ｂ，Ｒの各出力波形を示す。図３Ｂは図１の端子５でのカラーバー信号１のＹ，Ｐｂ，Ｐｒの各出力波形を示す。図４関連の図は、カラーバー信号２の信号発生器の出力信号を説明したものである。図４Ａは図１の 4でのカラーバー信号２のＧ，Ｂ，Ｒの各出力波形を示す。図４Ｂは図１の５でのカラーバー信号２のＹ，Ｐｂ，Ｐｒの各出力波形を示す。
【００２０】
図５関連の図は、カラーバー信号３の信号発生器の出力信号を説明したものである。図５のＡは図１の４でのカラーバー信号３のＧ，Ｂ，Ｒの各出力波形を示す。各出力波形は同じである。５１はＳＤモニタの輝度調整用信号、５２はＨＤモニタの輝度調整用信号である。図５のＢは図１の５でのカラーバー信号３のＹ，Ｐｂ，Ｐｒの各出力波形を示す。Ｇ＝Ｂ＝Ｒのため、Ｐｂ，Ｐｒ信号はゼロである。
【００２１】
図６は、ＮＴＳＣ（４：３）にダウンコンバートしたときの図１の６での出力信号を説明したものである。図６のＡは、カラーバー信号１の出力波形を示す。図６のＢは、カラーバー信号２の出力波形を示す。図６のＣは、カラーバー信号３の出力波形を示す。６３は、ダウンコンバータから−２％信号が出力されないことを示す。
図７は、ＮＴＳＣ（４：３）にダウンコンバートしたときの図１の６での７．５％セットアップ付き出力波形を示す。図７のＡはカラーバー信号１の出力波形を示す。図７のＢはカラーバー信号２の出力波形を示す。図７のＣはカラーバー信号３の出力波形を示す。７１はダウンコンバータから−２％信号が出力されないことを示す。
なお、ＳＤにダウンコンバートしたときの図１の７でのコンポーネント信号波形は、カラーバー信号３の−２％信号が出力されないだけで、画面に対応した図３，４，５に示す信号波形となる。
図８は、本発明カラーバー信号のＨＤベクトルスコープでの表示例を示す。また、図のＩ／Ｑ軸はＮＴＳＣベクトルスコープのＩ／Ｑ軸目盛に対応させたものである。図８のＡはノーマル・ゲイン・モードでのカラーバー信号の表示を示す。図８のＢは、＋Ｉ信号の表示がベクトルスコープの円目盛上に拡大表示されるように、ベクトルスコープのゲインを調整したときの表示（拡大ゲイン・モード）を示す。図８のＣは前記の拡大ゲイン・モードでの顔の表示例を示す。
【００２２】
図９は、ＮＴＳＣ（４：３）にダウンコンバートしたときの、ＮＴＳＣベクトルスコープでの表示例を示したものである。図９のＡはノーマル・ゲイン・モードでのカラーバー信号の表示を示す（７．５％セットアップなしのとき）。図９のＢは、＋Ｉ信号の表示がベクトルスコープの円目盛上に拡大表示されるように、ベクトルスコープのゲインを調整したときの表示（拡大ゲイン・モード）を示す。図９のＣは前記の拡大ゲイン・モードでの顔の表示例を示す。図８のＣと図９のＣは肌色基準信号（＋Ｉ信号）を使用しての肌色（顔色）監視でのＨＤとＮＴＳＣとの相関性と有効性を表している。
【００２３】
図１０は、コンポーネントモニタのＰｂ，Ｐｒの調整を示したものである。図１０のＡは、ＳＭＰＴＥカラーバーでのモニタ調整を示したもので、Ｐｒの調整ではカラーバー信号１（１０１）とカラーバー信号２（１０２）が離れて、同一の明るさに調整できないことを示す。図１０のＢは、本発明のカラーバーでのモニタ調整を示したもので、Ｐｒの調整ではカラーバー信号１（１０３）とカラーバー信号２（１０４）は隣接し、カラーバー信号２は７５％白信号（無彩色）であるため、クロマ調整の影響を受けず、１０３と１０４を同一の明るさに調整できることを示す。
【００２４】
図１１は、ＳＤでのモニタの輝度調整を示したものである。図１１のＡは、ダウンコンバートされたＳＭＰＴＥカラーバーの例を示すが、０％、±４％輝度調整信号のうちマイナス４％信号がなくなるため（１１１）、輝度調整が＋４％信号（１１２）のみで曖昧となる。図１１のＢは本発明のカラーバーでの調整を示すが、輝度調整信号を０、＋２％、＋４％としているため、＋４％（１１４）が見えて、＋２％（１１３）が見えないように調整できることを示す。
【００２５】
【発明の効果】
(1) デジタル放送では、各種の映像フォーマットの放送が行われるため、番組は各種の映像フォーマットへの対応を考慮して制作される。このため、番組制作はＨＤ（１６：９）で行い、ＳＤ番組（４：３を含む）はダウンコンバートして対応する方向にある。
ＳＤ（４：３）へのダウンコンバートでカラーバー信号の一部が欠落すると、カラーバー信号の付け替えが必要となる。カラーバー信号の付け替えは放送業務の円滑化を妨げるほか、素材信号のオリジナル性が失われるため、好ましくない。本装置のカラーバー信号は、上記の問題を解決するための信号構成としているため、ＨＤ（１６：９）からダウンコンバートしたＳＤ（ＮＴＳＣ／４：３）まで一つのカラーバー信号で対応できる。デジタル放送時代での放送業務の円滑化と素材信号のオリジナル性が確保できる。
(2) 肌色基準信号は、コンポーネント信号（ＨＤ／ＳＤ）のベクトルスコープでの肌色の監視と把握に役立つ。また、ＮＴＳＣとの相関性が把握できる。
(3) 本装置のカラーバー信号は、コンポーネントモニタ（ＨＤ／ＳＤ）とコンポジットモニタ（ＮＴＳＣ）の調整に使用できる。
【図面の簡単な説明】
【図１】本発明によるカラーバー信号発生装置の実施例のブロック図である。
【図２】前記実施例装置で発生するＨＤ（映像フォーマット１０８０ｉ）の場合のデジタル信号での各信号の画面構成を示す図である。
【図３Ａ】図１に示すカラーバー信号発生装置の４の示す端子での第１のカラーバー信号発生器のＧ，Ｂ，Ｒの各出力波形を示す波形図である。
【図３Ｂ】図１に示すカラーバー信号発生装置の５の示す端子で第１のカラーバー信号発生器のＹ，Ｐｂ，Ｐｒの各出力波形を示す波形図である。
【図４Ａ】図１に示すカラーバー信号発生装置の４の示す端子での第２のカラーバー信号発生器のＧ，Ｂ，Ｒの各出力波形を示す波形図である。
【図４Ｂ】図１に示すカラーバー信号発生装置の５の示す端子での第２のカラーバー信号発生器のＹ，Ｐｂ，Ｐｒの各出力波形を示す波形図である。
【図５Ａ】図１に示すカラーバー信号発生装置の４の示す端子での第３のカラーバー信号発生器のＧ，Ｂ，Ｒの各出力波形を示す波形図である。
【図５Ｂ】図１に示すカラーバー信号発生装置の５の示す端子での第３のカラーバー信号発生器のＹ，Ｐｂ，Ｐｒの各出力波形を示す波形図である。
【図６】図１示すカラーバー信号発生装置の出力をＮＴＳＣ（４：３）にダウンコンバートしたときの端子６での出力信号を説明したものであり図中（Ａ）はカラーバー信号１の出力波形、（Ｂ）はカラーバー信号２の出力波形、（Ｃ）はカラーバー信号３の出力波形を示す。
【図７】図１に示すカラーバー信号発生装置の出力をＮＴＳＣ（４：３）にダウンコンバートしたときの端子６での７．５％セットアップ付の出力信号を説明したものであり、図中（Ａ）はカラーバー信号１の出力波形、（Ｂ）はカラーバー信号２の出力波形、（Ｃ）はカラーバー信号３の出力波形を示す。
【図８】本発明による装置のカラーバー信号のＨＤベクトルスコープでの表示例を示す図であり、同図（Ａ）は、ノーマル・ゲイン・モードでのカラーバー信号の表示、同図（Ｂ）は、＋Ｉ信号の表示がベクトルスコープの円目盛上に拡大表示されるように、ベクトルスコープのゲインを調整したときの表示、同図（Ｃ）は前記の拡大ゲイン・モードでの顔の表示例を示す。
【図９】図９は、ＮＴＳＣ（４：３）にダウンコンバートしたときの、ＮＴＳＣベクトルスコープでの表示例であり（Ａ）はノーマル・ゲインモードでのカラーバー信号の表示、同図（Ｂ）は、＋Ｉ信号の表示がベクトルスコープの円目盛上に拡大表示されるように、ベクトルスコープのゲインを調整したときの表示、同図（Ｃ）は、前記の拡大ゲイン・モードでの顔の表示例を示す。また、図８と図９は、肌色基準信号( ＋Ｉ信号) を使用しての肌色（顔色）監視でのＨＤとＮＴＳＣとの相関性と有効性を表している。
【図１０】コンポーネントモニタのＰｂ，Ｐｒの調整を示した図である。
【図１１】ＳＤでのモニタの輝度調整を示した図である。
【符号の説明】
１，２，３  信号発生器からの信号
４  信号切替器出力
５  マトリックス回路出力
６  ダウンコンバータ出力（ＮＴＳＣ）
７  ダウンコンバータ出力（ＳＤ）
【図１】
0003784238.tif 000002
【図２】
0003784238.tif 000003
【図３Ａ】
0003784238.tif 000004
【図３Ｂ】
0003784238.tif 000005
【図４Ａ】
0003784238.tif 000006
【図４Ｂ】
0003784238.tif 000007
【図５Ａ】
0003784238.tif 000008
【図５Ｂ】
0003784238.tif 000009
【図６】
0003784238.tif 000010
【図７】
0003784238.tif 000011
【図８】
0003784238.tif 000012
【図９】
0003784238.tif 000013
【図１０】
0003784238.tif 000014
【図１１】
0003784238.tif 000015